(57)【要約】  アンテナの設置の自由度が高く、破損のおそれが少なく、送信効率を向上させることができるＦＭトランスミッタ内蔵の携帯機器を提供することを目的とする。携帯音楽再生機器１００は、送信対象となるオーディオ信号を発生するオーディオ再生装置１０と、オーディオ信号をＦＭ変調してＦＭ受信機で受信可能な搬送波信号を生成するステレオ変調回路２２、ＦＭ変調回路２４と、筐体の外部に露出して着脱自在に設けられた外部送信アンテナ１０２と、搬送波信号を外部送信アンテナ１０２を通して送信する送信回路２６とを備えている。【特許請求の範囲】
【請求項１】
送信対象となるオーディオ信号を発生するオーディオ信号発生回路と、
前記オーディオ信号をＦＭ変調してＦＭ受信機で受信可能な搬送波信号を生成する変調回路と、
筐体の外部に露出して着脱自在に設けられた外部送信アンテナと、
前記搬送波信号を前記外部送信アンテナを通して送信する送信回路と、
を備えるＦＭトランスミッタ内蔵の携帯機器。
【請求項２】
請求項１において、
前記外部送信アンテナは、その一部にローディングコイルが挿入されているＦＭトランスミッタ内蔵の携帯機器。
【請求項３】
請求項２において、
前記筐体に設けられ前記送信回路の出力端子に接続された外部アンテナ端子をさらに備え、
前記送信回路の出力端子と前記外部アンテナ端子との間にローディングコイルが挿入されているＦＭトランスミッタ内蔵の携帯機器。
【請求項４】
請求項１において、
前記オーディオ信号発生回路によって発生したオーディオ信号を出力する出力回路をさらに備え、
前記出力回路に接続される挿抜可能なイヤホンコードを前記外部送信アンテナとして用いるＦＭトランスミッタ内蔵の携帯機器。
【請求項５】
請求項４において、
前記送信回路と前記出力回路の間にチョークコイルを挿入するＦＭトランスミッタ内蔵の携帯機器。
【請求項６】
請求項１において、
充電可能な二次電池から電力供給を受けて動作電圧を各構成に対して供給する電源回路をさらに備え、
前記二次電池は、電源ケーブルを介して商用電源から供給される交流電圧を降圧するとともに整流する充電器が接続されたときに充電され、
前記電源ケーブルを前記外部送信アンテナとして用いるとともに、前記充電器の内部配線を介して前記送信回路と前記電源ケーブルを電気的に接続するＦＭトランスミッタ内蔵の携帯機器。
【請求項７】
請求項６において、
前記電源ケーブルは、一方端が前記充電器に接続され、他方端に家庭用コンセントに対応する差し込みプラグが設けられており、
前記電源ケーブルの一方端側よりも、前記差し込みプラグが設けられた他方端側に近い位置にチョークコイルを挿入するＦＭトランスミッタ内蔵の携帯機器。
【請求項８】
請求項１において、
充電可能な二次電池から電力供給を受けて動作電圧を各構成に対して供給する電源回路をさらに備え、
電源ケーブルを介して商用電源から供給される交流電圧を降圧するとともに整流した充電電流を供給することにより前記二次電池の充電を行う充電器の筐体に設けられた充電器アンテナ端子に前記外部送信アンテナが電気的に接続され、
前記充電器の内部配線を介して前記送信回路と前記外部送信アンテナを電気的に接続するＦＭトランスミッタ内蔵の携帯機器。
【請求項９】
請求項１において、
前記外部送信アンテナと前記送信回路は、互いに直流的に分離されているＦＭトランスミッタ内蔵の携帯機器。
【請求項１０】
請求項９において、
前記直流的な分離はコンデンサを介した静電容量結合によって行うＦＭトランスミッタ内蔵の携帯機器。
【請求項１１】
請求項９において、
前記直流的な分離はトランスを用いた電磁結合によって行うＦＭトランスミッタ内蔵の携帯機器。
【請求項１２】
請求項１において、
前記送信回路に接続された前記筐体に内蔵された内部送信アンテナをさらに備えるＦＭトランスミッタ内蔵の携帯機器。
【請求項１３】
請求項１において、
前記オーディオ信号発生回路は、圧縮された形式で記録されているオーディオデータを伸長して前記オーディオ信号を再生するオーディオ再生装置であるＦＭトランスミッタ内蔵の携帯機器。
【請求項１４】
請求項１において、
ＣＭＯＳプロセスあるいはＭＯＳプロセスを用いて、前記オーディオ信号発生回路、前記変調回路、前記送信回路に対応する構成が半導体基板上に形成されたＦＭトランスミッタ内蔵の携帯機器。
【請求項１５】
請求項１において、
前記オーディオ信号発生回路はＭＰ３プレーヤであるＦＭトランスミッタ内蔵の携帯機器。
【請求項１６】
請求項１において、
前記オーディオ信号発生回路はＭＤプレーヤであるＦＭトランスミッタ内蔵の携帯機器。
【請求項１７】
請求項１において、
前記オーディオ信号発生回路はＣＤプレーヤであるＦＭトランスミッタ内蔵の携帯機器。
【請求項１８】
請求項１において、
前記オーディオ信号発生回路は携帯電話機であるＦＭトランスミッタ内蔵の携帯機器。
【発明の詳細な説明】
【技術分野】
【０００１】
本発明は、ＦＭ変調された信号を送信するＦＭトランスミッタを備えるＦＭトランスミッタ内蔵の携帯機器に関する。
【背景技術】
【０００２】
従来から、ＦＭトランスミッタを内蔵した携帯電話機等の携帯機器が知られている（例えば、特許文献１参照。）。内蔵されたＦＭトランスミッタを用いることにより、携帯機器内で発生した音声を外部のＦＭ受信機から出力することができる。これにより、スピーカを備えない携帯機器で発生した音声を外部のスピーカから出力することができるようになったり、内蔵された小型のスピーカを用いる場合に比べて音質の向上や音量の確保が可能になる。また、携帯機器に内蔵されたＦＭトランスミッタに接続されるアンテナとしては、外付けされた棒状のアンテナが知られている（例えば、特許文献２参照。）。
【特許文献１】特開２００１−１９７１６８号公報（第３−６頁、図１−５）
【特許文献２】特開平１０−２０７９７２号公報（第４−７頁、図１−９）
【発明の開示】
【発明が解決しようとする課題】
【０００３】
ところで、上述した特許文献２に開示されたように棒状のアンテナを常時外付けする場合には、収納時や運搬時に破損のおそれがある。また、このような棒状のアンテナを内蔵させる場合も考えられるが、装置全体の小型化が難しくなるとともに、筐体内にアンテナを収納する空間を確保しなければならないためアンテナ設置の自由度が少なくなり、しかも小さいアンテナを用いることになるため送信効率が低下するという問題があった。【０００４】
本発明は、このような点に鑑みて創作されたものであり、その目的は、アンテナの設置の自由度が高く、破損のおそれが少なく、送信効率を向上させることができるＦＭトランスミッタ内蔵の携帯機器を提供することにある。
【課題を解決するための手段】
【０００５】
上述した課題を解決するために、本発明のＦＭトランスミッタ内蔵の携帯機器は、送信対象となるオーディオ信号を発生するオーディオ信号発生回路と、オーディオ信号をＦＭ変調してＦＭ受信機で受信可能な搬送波信号を生成する変調回路と、筐体の外部に露出して着脱自在に設けられた外部送信アンテナと、搬送波信号を外部送信アンテナを通して送信する送信回路とを備えている。着脱自在な外部送信アンテナを用いることにより、必要なときだけ（送信時のみ）アンテナを取り付ければよいため、アンテナの設置の自由度が高く、しかも、運搬時や収納時にアンテナが破損することを防止することができる。また、内蔵する場合に比べて長いアンテナを使用することが可能になるため、送信効率を上げることができる。【０００６】
また、上述した外部送信アンテナは、その一部にローディングコイルが挿入されていることが望ましい。あるいは、上述した筐体に設けられ送信回路の出力端子に接続された外部アンテナ端子をさらに備え、送信回路の出力端子と外部アンテナ端子との間にローディングコイルが挿入されていることが望ましい。これにより、送信する搬送波信号の周波数に合わせてアンテナ長を調整することができる。【０００７】
また、上述したオーディオ信号発生回路によって発生したオーディオ信号を出力する出力回路をさらに備え、出力回路に接続される挿抜可能なイヤホンコードを外部送信アンテナとして用いることが望ましい。これにより、オーディオ音を聴取するイヤホンを外部送信アンテナとして用いることができるため、別部品としての外部送信アンテナをなくして部品点数の削減を図ることができる。しかも、外部送信アンテナ専用の外部アンテナ端子を備える必要がなくなるため、これに伴う部品点数の低減とともに構造の簡略化が可能になる。【０００８】
また、上述した送信回路と出力回路の間にチョークコイルを挿入することが望ましい。これにより、送信回路からイヤホンコードに向けて送信信号を出力したときに、低い出力インピーダンスを有する出力回路の出力段にこの送信信号が流れ込むことを防止することができる。【０００９】
また、充電可能な二次電池から電力供給を受けて動作電圧を各構成に対して供給する電源回路をさらに備え、二次電池は、電源ケーブルを介して商用電源から供給される交流電圧を降圧するとともに整流する充電器が接続されたときに充電され、電源ケーブルを外部送信アンテナとして用いるとともに、充電器の内部配線を介して送信回路と電源ケーブルを電気的に接続することが望ましい。これにより、内蔵された二次電池を充電するために携帯機器を充電器にセットした際に、充電器から引き出された電源ケーブルを外部送信アンテナとして使用することが可能になる。しかも、別部品としての外部送信アンテナが不要になり、部品点数の低減や携帯機器の構造の簡略化が可能になる。【００１０】
また、上述した電源ケーブルは、一方端が充電器に接続され、他方端に家庭用コンセントに対応する差し込みプラグが設けられており、電源ケーブルの一方端側よりも、差し込みプラグが設けられた他方端側に近い位置にチョークコイルを挿入することが望ましい。これにより、電源コードを外部送信アンテナとして使用する場合に家庭用コンセントから侵入する電源ノイズを除去することができる。【００１１】
また、充電可能な二次電池から電力供給を受けて動作電圧を各構成に対して供給する電源回路をさらに備え、電源ケーブルを介して商用電源から供給される交流電圧を降圧するとともに整流した充電電流を供給することにより二次電池の充電を行う充電器の筐体に設けられた充電器アンテナ端子に外部送信アンテナが電気的に接続され、充電器の内部配線を介して送信回路と外部送信アンテナを電気的に接続することが望ましい。これにより、内蔵された二次電池を充電するために携帯機器を充電器にセットした際に、充電器に取り付けられた外部送信アンテナを使用することが可能になる。したがって、携帯機器自身には外部アンテナ端子が不要になるため、構造の簡略化が可能になる。【００１２】
また、上述した外部送信アンテナと送信回路は、互いに直流的に分離されていることが望ましい。具体的には、上述した直流的な分離はコンデンサを介した静電容量結合によって行われる。あるいは、上述した直流的な分離はトランスを用いた電磁結合によって行われる。これにより、外部送信アンテナが固定電位やアース電位に接触した際に送信回路を保護することが可能になる。【００１３】
また、上述した送信回路に接続された筐体に内蔵された内部送信アンテナをさらに備えることが望ましい。これにより、内部送信アンテナだけを使用した場合に受信機側において十分な信号品質が得られないときだけ外部送信アンテナを用いればよいため、外部送信アンテナを使用しない場合には携帯機器の取り扱いが容易となる。【００１４】
また、上述したオーディオ信号発生回路は、圧縮された形式で記録されているオーディオデータを伸長してオーディオ信号を再生するオーディオ再生装置であることが望ましい。これにより、ＭＰ３（MPEG Audio Layer-3）プレーヤ等の携帯性に優れた小型の圧縮オーディオ再生装置で再生されたオーディオ信号をＦＭ信号として送信することができるため、車載のＦＭ受信機や家庭用のＦＭ受信機等のスピーカからオーディオ音を出力することが可能となる。
【図面の簡単な説明】
【００１５】
【図１】第１の実施形態の携帯音楽再生機器の構成を示す図である。
【図２】携帯音楽再生機器の外観を示す斜視図である。
【図３】本実施形態の変形例を示す図である。
【図４】本実施形態の他の変形例を示す図である。
【図５】本実施形態の他の変形例を示す図である。
【図６】第２の実施形態の携帯音楽再生機器の構成を示す図である。
【図７】第３の実施形態の携帯音楽再生機器の構成を示す図である。
【図８】充電器３００の外観斜視図である。
【図９】第４の実施形態の携帯音楽再生機器の構成を示す図である。
【符号の説明】
【００１６】
１０  オーディオ再生装置
１２  出力回路
２０  ＦＭトランスミッタ
２２  ステレオ変調回路
２４  ＦＭ変調回路
２６  送信回路
３０  操作部
３２  表示部
３４  制御部
３６  電源回路
３８  二次電池
４０、１０８、３１４、３２２  ローディングコイル
４２、４６、３２０  コンデンサ
４４  コイル
４８、３３４、３３６  チョークコイル
１００、１００Ａ、１００Ｂ  携帯音楽再生機器
１０２  外部送信アンテナ
１０４、１１６Ａ、１１６Ｂ、１１８  外部アンテナ端子
１０６  イヤホン端子
１１０  イヤホン
１１０Ａ  イヤホンコード
１１２Ａ、１１２Ｂ、１１４Ａ、１１４Ｂ  充電端子
２００、４００  筐体
３００、３００Ａ  充電器
３１０  降圧回路
３１２  整流回路
３３０  電源ケーブル
【発明を実施するための最良の形態】
【００１７】
以下、本発明を適用した一実施形態の携帯音楽再生機器について、図面を参照しながら詳細に説明する。【００１８】
〔第１の実施形態〕
図１は、第１の実施形態の携帯音楽再生機器の構成を示す図である。図１に示す本実施形態の携帯音楽再生機器１００は、オーディオ再生装置１０、出力回路１２、ＦＭトランスミッタ２０、操作部３０、表示部３２、制御部３４、電源回路３６、二次電池３８を含んで構成されている。これらの構成の中で、操作部３０、表示部３２、二次電池３８を除くほとんどの構成が半導体基板上にＣＭＯＳプロセスあるいはＭＯＳプロセスを用いて１チップ部品として形成されている（但し、これらのプロセスによって形成不可能な駆動機構等は除く）。これらのプロセスを用いることにより、半導体基板上に形成された１チップ部品および携帯音楽再生機器１００全体の小型化、低消費電力化を図ることができる。【００１９】
オーディオ再生装置１０は、圧縮された形式で記録されているオーディオデータを伸長してオーディオ信号を再生、出力するオーディオ信号発生回路であり、例えばＭＰ３プレーヤやＭＤ（ミニディスク）プレーヤ等に対応している。なお、本実施形態におけるオーディオ再生装置１０は、送信対象となるオーディオ信号を発生する機能が少なくとも必要であり、非圧縮のオーディオデータからオーディオ信号を再生するＣＤ（コンパクトディスク）プレーヤや携帯電話機等の音声再生回路によってオーディオ再生装置１０を構成するようにしてもよい。オーディオ再生装置１０からは、左右別々のオーディオ信号であるＬ信号とＲ信号が出力される。出力回路１２は、オーディオ再生装置１０から出力されるオーディオ信号を増幅したり音質調整を行った信号をイヤホン端子１０６を介してイヤホン（図示せず）に出力する。【００２０】
ＦＭトランスミッタ２０は、オーディオ再生装置１０から出力されたＬ信号とＲ信号に対してＦＭ変調を行った後の信号を外部アンテナ端子１０４を介して外部送信アンテナ１０２から送信する。このために、ＦＭトランスミッタ２０は、ステレオ変調回路２２、ＦＭ変調回路２４、送信回路２６を備えている。ステレオ変調回路２２は、入力されたＬ信号とＲ信号を合成するステレオ変調処理を行って、ステレオコンポジット信号（ステレオ複合信号）を生成する。ＦＭ変調回路２４は、ステレオコンポジット信号に対してＦＭ変調処理を行い、この携帯音楽再生機器１００の近傍に設置された外部のＦＭ受信機（図示せず）で受信可能な搬送波信号を生成する。送信回路２６は、ＦＭ変調回路２４によって生成された搬送波信号を増幅して外部送信アンテナ１０２から送信する。【００２１】
操作部３０は、利用者による操作を受け付けるために各種のキーや操作つまみ類を備えている。例えば、オーディオ再生装置１０によるオーディオ信号の再生動作に対して各種の指示を与えるために「再生」キーや「停止」キーを備えるとともに、出力回路１２の増幅の程度を指示するために音量設定用の「ＵＰ」キーや「ＤＯＷＮ」キーを備えている。表示部３２は、操作部３０による操作内容を表示したり、オーディオ再生装置１０による再生内容（例えば再生中の楽曲の名称（曲名）やこの楽曲を歌っているアーティスト名、再生経過時間等）などを表示する。制御部３４は、携帯音楽再生機器１００の全体を制御する。例えば、オーディオ再生装置１０による再生状態を設定したり、出力回路１２を用いた音量の設定を行う。【００２２】
電源回路３６は、二次電池３８の端子電圧が印加されており、携帯音楽再生機器１００の各部に供給する動作電圧を生成する。なお、実際には電源回路３６と二次電池３８との間、あるいは二次電池３８と外部に露出した充電端子１１２Ａ、１１４Ａとの間には、外部から印加される過大な電圧やノイズ等から二次電池３８や電源回路３６を保護する保護回路が設けられているが、図１ではこの保護回路は省略されている。【００２３】
図２は、携帯音楽再生機器１００の外観を示す斜視図である。図２に示すように、携帯音楽再生機器１００の筐体２００には、外部に露出する外部アンテナ端子１０４が設けられており、この外部アンテナ端子１０４に外部送信アンテナ１０２が着脱自在に取り付けられる。外部送信アンテナ１０２は、図２に示すように、例えば棒状の形状を有しており、その一方端を外部アンテナ端子１０４に嵌め込むことにより筐体２００への装着が可能となる。なお、外部送信アンテナ１０２の一方端に雄ねじ溝を、外部アンテナ端子１０４に雌ねじ溝をそれぞれ形成しておいて、外部送信アンテナ１０２を外部アンテナ端子１０４に取り付けるようにしてもよい。また、外部送信アンテナ１０２の形状は必ずしも棒状である必要はなく、紐状であったり、Ｌ字等の屈曲形状を有していてもよい。【００２４】
このように、本実施形態の携帯音楽再生機器１００では、着脱自在な外部送信アンテナ１０２が用いられているため、必要なときだけ（送信時のみ）アンテナを取り付ければよい。したがって、アンテナ設置の自由度が高く、しかも、運搬時や収納時に外部送信アンテナ１０２が破損することを防止することができる。また、内蔵する場合に比べて長い外部送信アンテナを使用することが可能になるため、送信効率を上げることができる。【００２５】
図３は、本実施形態の変形例を示す図である。図３に示す変形例の構成では、送信回路２６と外部送信アンテナ１０２の間にローディングコイル４０が挿入されている。ローディングコイル４０を外部送信アンテナ１０２の一部として用いることにより、外部送信アンテナ１０２の実効長を長くすることができる。なお、図３に示す構成では、ローディングコイル４０を送信回路２６と外部アンテナ端子１０４の間に挿入したが、外部アンテナ端子１０４に外付けられる外部送信アンテナ１０２の一部にローディングコイル４０を挿入するようにしてもよい。また、スペースの有効利用を図るために、外部アンテナ端子１０４の外周に銅線を巻回してローディングコイル４０を形成するようにしてもよい。【００２６】
図４および図５は、本実施形態の他の変形例を示す図である。これらの図に示す変形例の構成では、送信回路２６と外部送信アンテナ１０２は、互いに直流的に分離されている。具体的には、図４に示す例では、送信回路２６と外部アンテナ端子１０４との間にコンデンサ４２を挿入することにより、送信回路２６と外部送信アンテナ１０２とを静電容量を介して接続（静電容量結合）している。また、図５に示す例では、送信回路２６と外部アンテナ端子１０４との間に互いに電磁結合した２つのコイル４４を挿入することにより、送信回路２６と外部送信アンテナ１０２とを電磁結合している。これにより、外部送信アンテナ１０２が固定電位やアース電位に接触した際に送信回路２６を保護することが可能になる。【００２７】
〔第２の実施形態〕
図６は、第２の実施形態の携帯音楽再生機器の構成を示す図である。図６に示す本実施形態の携帯音楽再生機器１００Ａは、構成自体は図１に示した携帯音楽再生機器１００とほぼ同じであり、出力回路１２に接続される挿抜可能なイヤホンコードを外部送信アンテナとして用いる点が異なっている。図６に示す構成では、ＦＭトランスミッタ２０内の送信回路２６の出力端子は、直流分離用のコンデンサ４６を介して、出力回路１２とイヤホン端子１０６との間の配線に接続されている。また、出力回路１２とイヤホン端子１０６との間には、出力回路１２側にチョークコイル４８が、イヤホン端子１０６側にローディングコイル１０８がそれぞれ挿入されている。送信回路２６から出力された信号は、コンデンサ４６を介してチョークコイル４８とローディングコイル１０８の接続点に入力され、ローディングコイル１０８およびイヤホン端子１０６を介してイヤホン１１０のイヤホンコード１１０Ａを外部送信アンテナとして送信される。【００２８】
このように、オーディオ音を聴取するイヤホン１１０のイヤホンコード１１０Ａを外部送信アンテナとして用いることができるため、別部品としての外部送信アンテナ１０２をなくして部品点数の削減を図ることができる。しかも、外部送信アンテナ専用の外部アンテナ端子１０４を備える必要がなくなるため、これに伴う部品点数の低減とともに構造の簡略化が可能になる。【００２９】
また、一般に出力回路１２の出力段の出力インピーダンスは低いため、送信回路２６の出力端子を出力回路１２の出力段に直結すると送信回路２６に送信信号が流れ込むことになるが、出力回路１２の出力側にチョークコイル４８を挿入することにより、出力回路１２に対するこのような送信信号の流れ込みを防止することができる。【００３０】
〔第３の実施形態〕
図７は、第３の実施形態の携帯音楽再生機器の構成を示す図であり、充電器も含めた携帯音楽再生機器システムの全体構成が示されている。図７に示す本実施形態の携帯音楽再生機器１００Ｂは、構成自体は図１に示した携帯音楽再生機器１００とほぼ同じであり、外部アンテナ端子１０４が充電端子１１２Ａ、１１４Ａの近傍に設けられた外部アンテナ端子１１６Ａに置き換わった構成を有している。【００３１】
また、本実施形態の携帯音楽再生機器１００Ｂには、内蔵された二次電池３８を充電するために用いられる充電器３００が外付けされる。この充電器３００は、電源ケーブル３３０を介して商用電源から供給される交流電圧を降圧する降圧回路３１０と、降圧した交流電圧を整流して直流の充電電流を生成する整流回路３１２とを備えている。例えば最も簡単には、降圧回路３１０はトランスによって構成されており、整流回路３１２はダイオード等の整流素子を用いてブリッジ回路によって構成されている。整流回路３１２の正負の出力端子は、外部に露出した充電端子１１２Ｂ、１１４Ｂに接続されている。これらの充電端子１１２Ｂ、１１４Ｂは、充電器３００の所定位置に携帯音楽再生機器１００Ｂをセットしたときに携帯音楽再生機器１００Ｂ側の充電端子１１２Ａ、１１４Ａと電気的に接続される位置に設けられている。これにより、充電器３００によって生成された充電電流が、充電端子１１２Ａ、１１２Ｂおよび充電端子１１４Ａ、１１４Ｂを介して二次電池３８に供給される。【００３２】
図８は、充電器３００の外観斜視図であり、携帯音楽再生機器１００Ｂの筐体２００Ｂがセットされた状態が示されている。本実施形態の充電器３００は、充電端子１１２Ｂ、１１４Ｂの近傍に設けられた外部アンテナ端子１１６Ｂと、充電器３００の筐体の一部であって外部に露出する位置に設けられた外部アンテナ端子１１８と、これらの外部アンテナ端子１１６Ｂ、１１８の間に挿入されたローディングコイル３１４とを備えている。外部アンテナ端子１１６Ｂは、充電器３００の所定位置に携帯音楽再生機器１００Ｂをセットしたときに携帯音楽再生機器１００Ｂ側の外部アンテナ端子１１６Ａと電気的に接続される位置に設けられている。また、外部アンテナ端子１１８は、図１および図２に示した外部アンテナ端子１０４と同じ機能を有しており、外部送信アンテナ１０２が着脱自在に取り付けられる。なお、本実施形態では、外部送信アンテナ１０２が取り付けられる外部アンテナ端子１１８は充電器３００の筐体４００に設けられているため、必ずしも着脱自在な外部送信アンテナ１０２を用いる必要はなく、充電器３００の外部アンテナ端子１１８に送信アンテナ１０２を取り外し不可能な状態で取り付けるようにしてもよい。なお、ローディングコイル３１４はアンテナ長を調整するためのものであるため、省略してもよい。【００３３】
このように、内蔵された二次電池３８を充電するために携帯音楽再生機器１００Ｂを充電器３００にセットした際に、充電器３００に取り付けられた外部送信アンテナ１０２を使用することが可能になる。したがって、携帯音楽再生機器１００Ｂ自身には外部アンテナ端子が不要になるため、構造の簡略化が可能になる。【００３４】
〔第４の実施形態〕
図９は、第４の実施形態の携帯音楽再生機器の構成を示す図であり、充電器も含めた携帯音楽再生機器システムの全体構成が示されている。図９に示す本実施形態の携帯音楽再生機器１００Ｂは、図７に示したものと同じであって外部アンテナ端子１１６Ａを備えている。【００３５】
また、充電器３００Ａは、図７に示した充電器３００に対して、外部アンテナ端子１１８とこれに接続されたローディングコイル３１４が取り除かれ、その代わりに、外部アンテナ端子１１６Ｂに接続された直流分離用のコンデンサ３２０と、電源ケーブル３３０に挿入されたローディングコイル３２２と２つのチョークコイル３３４、３３６とが追加された点が異なっている。２つのチョークコイル３３４、３３６は、家庭用コンセントから侵入する電源ノイズを除去するためのものであり、電源ケーブル３３０の降圧回路３１０側の端部よりも差し込みプラグ３３２側の端部に近い位置に挿入されている。なお、ローディングコイル３２２はアンテナ長を調整するためのものであるため、省略してもよい。【００３６】
このような充電器３００Ａを用いることにより、内蔵された二次電池３８を充電するために携帯音楽再生機器１００Ｂを充電器３００Ａにセットした際に、充電器３００Ａから引き出された電源ケーブル３３０を外部送信アンテナとして使用することが可能になる。しかも、別部品としての外部送信アンテナが不要になり、部品点数の低減や携帯音楽再生機器１００Ｂの構造の簡略化が可能になる。【００３７】
なお、本発明は上記実施形態に限定されるものではなく、本発明の要旨の範囲内において種々の変形実施が可能である。例えば、上述した実施形態では、着脱自在の外部送信アンテナのみに着目して説明したが、この着脱自在の外部送信アンテナとは別に、内部送信アンテナを携帯音楽再生機器１００等に内蔵するようにしてもよい。この場合に、内部送信アンテナと外部送信アンテナを同時に用いる場合にはこれらの接続をバランを介して行い、インピーダンスの不整合が生じないようにすることが望ましい。このように内部送信アンテナと外部送信アンテナとを併用する場合には、内部送信アンテナだけを使用した場合にＦＭ受信機側において十分な信号品質が得られないときだけ外部送信アンテナを用いればよい。したがって、外部送信アンテナを使用しない場合には、携帯音楽再生機器１００等の筐体２００から外部に突出する外部送信アンテナを取り外すことができるため、携帯時や収納時などにおける携帯音楽再生機器１００等の取り扱いが容易となる。
【産業上の利用可能性】
【００３８】
本発明によれば、着脱自在な外部送信アンテナを用いることにより、必要なときだけ（送信時のみ）アンテナを取り付ければよいため、アンテナの設置の自由度が高く、しかも、運搬時や収納時にアンテナが破損することを防止することができる。また、内蔵する場合に比べて長いアンテナを使用することが可能になるため、送信効率を上げることができる。
【図１】
2006100911.tif 000002
【図２】
2006100911.tif 000003
【図３】
2006100911.tif 000004
【図４】
2006100911.tif 000005
【図５】
2006100911.tif 000006
【図６】
2006100911.tif 000007
【図７】
2006100911.tif 000008
【図８】
2006100911.tif 000009
【図９】
2006100911.tif 000010
【国際調査報告】
2006100911.tif 000011
2006100911.tif 000012
2006100911.tif 000013
2006100911.tif 000014